(57)【要約】【課題】軽量かつ高剛性のアルミ製ステアリングナックルを得る。【解決手段】このアルミ製ステアリングナックル２０は、略円形空洞２１ａと、略円形空洞２１ａの周囲に配置される複数のボルト孔２１ｂとを有することで、車輪支持体の取り付け箇所となる本体部２１と、本体部２１の周囲に設けられて外部部材に連結される複数の連結部２２，２３，２５と、複数の連結部２２，２３，２５の間にそれぞれ立設される複数のリブ壁面３１とを有し、複数のリブ壁面３１が複数のボルト孔２１ｂの周囲を取り囲むように立設され、複数のリブ壁面３１の少なくとも一つが、一の連結部２２側に接続して立設される一のリブ壁面３１ａと、一の連結部２２と隣り合う他の連結部２３側に接続して立設される他のリブ壁面３１ｂとによって構成され、一のリブ壁面３１ａの一部分と他のリブ壁面３１ｂの一部分が、本体部２１上で並列して設けられる。【選択図】図１
2018002103.tif 000002
【特許請求の範囲】
【請求項１】
車両に用いられるアルミ製ステアリングナックルであって、
略円形空洞と、当該略円形空洞の周囲に配置される複数のボルト孔とを有することで、車輪支持体の取り付け箇所となる本体部と、
前記本体部の周囲に設けられて外部部材に連結される複数の連結部と、
前記複数の連結部の間にそれぞれ立設される複数のリブ壁面と、
を有し、
前記複数のリブ壁面が前記複数のボルト孔の周囲を取り囲むように立設され、さらに、
前記複数のリブ壁面の少なくとも一つが、
一の連結部側に接続して立設される一のリブ壁面と、
前記一の連結部と隣り合う他の連結部側に接続して立設される他のリブ壁面と、
によって構成されるとともに、
前記一のリブ壁面の一部分と前記他のリブ壁面の一部分が、前記本体部上で並列して設けられることを特徴とするアルミ製ステアリングナックル。
【請求項２】
請求項１に記載のアルミ製ステアリングナックルにおいて、
前記一のリブ壁面と前記他のリブ壁面は、前記複数のボルト孔の間の位置で並列して設けられることを特徴とするアルミ製ステアリングナックル。
【請求項３】
請求項２に記載のアルミ製ステアリングナックルにおいて、
前記一のリブ壁面は、接続する前記一の連結部から前記他の連結部の方向に向けてリブ壁面高さを漸減する傾斜面を有して形成されており、
前記他のリブ壁面は、接続する前記他の連結部から前記一の連結部の方向に向けてリブ壁面高さを漸減する傾斜面を有して形成されており、
前記一のリブ壁面と前記他のリブ壁面は、互いに並列した後、さらにリブ壁面高さを漸減してなくなるように構成されていることを特徴とするアルミ製ステアリングナックル。
【請求項４】
請求項３に記載のアルミ製ステアリングナックルにおいて、
前記一のリブ壁面と前記他のリブ壁面は、両リブ壁面の全体を面側から見たときに、当該両リブ壁面の外郭形状が広角に開いた略Ｖ字形の稜線を描いて形成されていることを特徴とするアルミ製ステアリングナックル。
【発明の詳細な説明】
【技術分野】
【０００１】
本発明は、車両に用いられるアルミ製ステアリングナックルの改良に関するものである。
【背景技術】
【０００２】
自動車等の車両には、通常、ディスク式ブレーキ機構等の摩擦ブレーキ機構が設けられている。摩擦ブレーキ機構は、車輪と一体に回転するブレーキローターと、ブレーキキャリパーに保持されたブレーキパッド等の摩擦部材とを摺接させて、ブレーキローターと摩擦部材との間に摩擦力を生じさせることで、車輪の回転を制動する。このような摩擦ブレーキ機構において、通常、ブレーキローターはホイールハブと一体に回転し、ブレーキキャリパーはステアリングナックルやアクスルキャリア（アクスルハウジング）等、ホイールハブを回転可能に支持する部材にボルト等により結合されている。当該支持部材の端部は、一般的に、ゴムブッシュ等を介してサスペンションアームに接続されており、車両用の懸架装置を構成している。
【０００３】
このような摩擦ブレーキ機構を含む懸架装置の構成部材は、車両の安全性を維持する必要があるため、重要保安部品として位置付けられており、例えばステアリングナックルについては、鉄系材料を鋳造又は鍛造して製造されることが一般的であった。なぜなら、鉄系材料であれば、高い剛性を容易に得ることができるからである。
【０００４】
一方、車両の燃費向上などを目的に、車両を構成する重要保安部品についても、鉄系材料に替えて例えばアルミ合金のような軽量化金属材料を採用することが、近年になって実施されてきている。具体的には、高い燃費性能が求められるハイブリッド自動車などにおいて、アルミ製のステアリングナックルを採用する動きもみられる。
【０００５】
なお、アルミニウムやアルミニウム合金等の軽量化金属材料を用いてステアリングナックル等の部材を製造する場合には、例えば下記特許文献１に開示されるような重力鋳造や傾斜重力鋳造などといった従来公知の鋳造方法が採用されている。
【先行技術文献】
【特許文献】
【０００６】
【特許文献１】特開２０１１−１０４６１３号公報
【発明の概要】
【発明が解決しようとする課題】
【０００７】
しかしながら、アルミ製のステアリングナックルは、軽量化の面で非常に有利な効果を得られるものの、剛性の面では鉄系材料を用いたステアリングナックルには劣るといった課題が存在していた。すなわち、従来の技術では、剛性の向上と軽量化という相反する効果を両立できる技術は存在しておらず、かかる効果を両立可能な技術の実現が求められていた。
【０００８】
本発明は、上述した従来技術に存在する課題の存在に鑑みて成されたものであり、その目的は、軽量であるという特性を維持しながらも鉄系材料で得られる剛性と同等以上の高い剛性を有するアルミ製のステアリングナックルを提供することにある。
【課題を解決するための手段】
【０００９】
以下、本発明について説明する。なお、本発明の理解を容易にするために添付図面の参照番号を括弧書きにて付記するが、それにより本発明が図示の形態に限定されるものではない。
【００１０】
本発明に係るアルミ製ステアリングナックル（２０，６０）は、車両に用いられるアルミ製ステアリングナックル（２０，６０）であって、略円形空洞（２１ａ，６１ａ）と、当該略円形空洞（２１ａ，６１ａ）の周囲に配置される複数のボルト孔（２１ｂ，６１ｂ）とを有することで、車輪支持体の取り付け箇所となる本体部（２１，６１）と、前記本体部（２１，６１）の周囲に設けられて外部部材に連結される複数の連結部（２２，２３，２５，６３，６４，６５，６６）と、前記複数の連結部（２２，２３，２５，６３，６４，６５，６６）の間にそれぞれ立設される複数のリブ壁面（３１，７１）と、を有し、前記複数のリブ壁面（３１，７１）が前記複数のボルト孔（２１ｂ，６１ｂ）の周囲を取り囲むように立設され、さらに、前記複数のリブ壁面（３１，７１）の少なくとも一つが、一の連結部（２２，２３，２５，６３，６４，６５，６６）側に接続して立設される一のリブ壁面（３１ａ，７１ａ）と、前記一の連結部（２２，２３，２５，６３，６４，６５，６６）と隣り合う他の連結部（２２，２３，２５，６３，６４，６５，６６）側に接続して立設される他のリブ壁面（３１ｂ，７１ｂ）と、によって構成されるとともに、前記一のリブ壁面（３１ａ，７１ａ）の一部分と前記他のリブ壁面（３１ｂ，７１ｂ）の一部分が、前記本体部（２１，６１）上で並列して設けられることを特徴とするものである。
【００１１】
本発明に係るアルミ製ステアリングナックル（２０，６０）において、前記一のリブ壁面（３１ａ，７１ａ）と前記他のリブ壁面（３１ｂ，７１ｂ）は、前記複数のボルト孔（２１ｂ，６１ｂ）の間の位置で並列して設けることができる。
【００１２】
また、本発明に係るアルミ製ステアリングナックル（２０，６０）において、前記一のリブ壁面（３１ａ，７１ａ）は、接続する前記一の連結部（２２，２３，２５，６３，６４，６５，６６）から前記他の連結部（２２，２３，２５，６３，６４，６５，６６）の方向に向けてリブ壁面高さを漸減する傾斜面を有して形成されており、前記他のリブ壁面（３１ｂ，７１ｂ）は、接続する前記他の連結部（２２，２３，２５，６３，６４，６５，６６）から前記一の連結部（２２，２３，２５，６３，６４，６５，６６）の方向に向けてリブ壁面高さを漸減する傾斜面を有して形成されており、前記一のリブ壁面（３１ａ，７１ａ）と前記他のリブ壁面（３１ｂ，７１ｂ）は、互いに並列した後、さらにリブ壁面高さを漸減してなくなるように構成することができる。
【００１３】
さらに、本発明に係るアルミ製ステアリングナックル（２０，６０）において、前記一のリブ壁面（３１ａ，７１ａ）と前記他のリブ壁面（３１ｂ，７１ｂ）は、両リブ壁面（３１ａ，３１ｂ，７１ａ，７１ｂ）の全体を面側から見たときに、当該両リブ壁面（３１ａ，３１ｂ，７１ａ，７１ｂ）の外郭形状が広角に開いた略Ｖ字形の稜線を描いて形成されていることが好適である。
【発明の効果】
【００１４】
本発明によれば、アルミニウムやアルミニウム合金等の軽量化金属材料が有する軽量であるという特性を維持しながらも、鉄系材料で得られる剛性と同等以上の高い剛性を有するアルミ製のステアリングナックルを提供することができる。
【図面の簡単な説明】
【００１５】
【図１】本実施形態に係るアルミ製ステアリングナックルが用いられる一般的な車両用懸架装置の概略構成を説明する概略図である。
【図２】本実施形態に係るアルミ製ステアリングナックルの正面図であり、取付時において車両本体側を向く面を示している。
【図３】本実施形態に係るアルミ製ステアリングナックルの側面図であり、取付時において車両前方側を向く面を示している。
【図４】本実施形態に係るアルミ製ステアリングナックルの外観斜視図である。
【図５】本実施形態に係るアルミ製ステアリングナックルの、図４とは別方向から見た場合の外観斜視図である。
【図６】本発明に係るアルミ製ステアリングナックルが取り得る多様な形態例のうちの一例を示す外観斜視図である。
【発明を実施するための形態】
【００１６】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
まず、本実施形態に係るアルミ製ステアリングナックル２０が設置される一般的な車両用懸架装置１の構成について、図１を用いて説明する。ここで、図１は、本実施形態に係るアルミ製ステアリングナックルが用いられる一般的な車両用懸架装置１の概略構成を説明する概略図である。なお、図１は、あくまで本発明の使用態様を説明するための概略図であるため、図１中に示されるアルミ製ステアリングナックル１２０については、本発明の構成とは異なる一般的なものが描かれている。
【００１８】
この車両用懸架装置１は、前輪（フロント）用の懸架装置であり、不図示のホイールハブを回転可能に支持する支持部材としてアルミ製ステアリングナックル１２０が設けられている。また、この車両用懸架装置１は、マクファーソン・ストラット形式の懸架装置であり、支持部材としてのアルミ製ステアリングナックル１２０は、ホイールハブ（不図示）等の車輪支持体の取り付け箇所となる本体部１２１と、本体部１２１の上方に設けられてダンパー２に連結されるダンパー連結部１２２と、本体部１２１の下方に設けられてロワアーム３に連結されるロワアーム連結部１２３と、本体部１２１から車両後方向に伸びて形成されるアーム１２４の先端に設けられてタイロッド５に連結されるタイロッド連結部１２５と、本体部１２１から車両前方向に形成されてブレーキキャリパー６が設置されるブレーキキャリパー設置部１２６と、を有して構成されている。なお、図１では、車両用懸架装置１が前輪に用いられる場合を例示しているが、マクファーソン・ストラット形式の懸架装置については、ロワアーム３の前後幅を広くとったり、ロワアーム３を２本にするパラレルリンク式を採用したりする等の対策を取ることで、後輪（リア）にも用いることができる。
【００１９】
また、車両用懸架装置１は、摩擦ブレーキ機構（ディスク式ブレーキ）を構成する部品として、不図示のホイールハブに係合して、車輪１５と一体に回転するディスクローター１０を有している。ホイールハブ（不図示）には、ロータ回転軸を中心とする周方向に複数のハブボルト（不図示）が配設されており、当該ハブボルトを用いることで、ディスクローター１０は、車輪１５と共に、ホイールハブ（不図示）にボルト結合される。これにより、ディスクローター１０は、車輪１５及びホイールハブ（不図示）と一体に回転する。
【００２０】
また、車両用懸架装置１には、摩擦ブレーキ機構を構成する部品として、ディスクローター１０の摺接面と接して摩擦力を生じさせる摩擦部材としての不図示のブレーキパッドと、当該ブレーキパッドを介してディスクローター１０を両側から挟みこむブレーキキャリパー６とを有している。ブレーキキャリパー６は、ディスクローター１０を挟み込むよう配置された２箇所のブレーキパッドを保持しており、図示しないホイールシリンダによりブレーキパッドを押圧して、当該ブレーキパッドに作動力を伝達することで、ブレーキパッドとディスクローター１０との間に摩擦力を生じさせることができるようになっている。当該摩擦力は、ロータ回転軸の周方向に作用して、ディスクローター１０に結合された車輪１５の接地面に制動力を生じさせる。
【００２１】
このように構成された車両用懸架装置１は、車輪１５と一体にディスクローター１０が回転しているときに、ブレーキキャリパー６が不図示のブレーキパッドに作動力を伝達すると、当該ブレーキパッドとディスクローター１０との摺接面には、ロータ回転軸の周方向に摩擦力が作用する。この摩擦力は、車輪１５の接地面に制動力を生じさせる一方、その反力としてロータ回転軸の周方向の力（力のモーメント）が、ブレーキパッドから、ブレーキキャリパー６等を介してアルミ製ステアリングナックル１２０に伝達される。つまり、不図示のブレーキパッドとディスクローター１０との間に摩擦力が生じると、ブレーキキャリパー６からアルミ製ステアリングナックル１２０に、ロータ回転軸まわりの力のモーメントが伝達されることとなる。
【００２２】
以上、一般的なアルミ製ステアリングナックル１２０が設置される車両用懸架装置１の概略構成について、図１を用いて説明を行った。そして、本発明に係るアルミ製ステアリングナックルは、この種の一般的な車両用懸架装置１に対して用いることが可能である。そこで、次に、本実施形態に係るアルミ製ステアリングナックル２０の詳細な形態的特徴について、図２〜図５を用いて説明を行う。ここで、図２は、本実施形態に係るアルミ製ステアリングナックル２０の正面図であり、取付時において車両本体側を向く面を示している。また、図３は、本実施形態に係るアルミ製ステアリングナックル２０の側面図であり、取付時において車両前方側を向く面を示している。さらに、図４は、本実施形態に係るアルミ製ステアリングナックル２０の外観斜視図であり、図５は、本実施形態に係るアルミ製ステアリングナックル２０の、図４とは別方向から見た場合の外観斜視図である。
【００２３】
図２〜図５に示す本実施形態に係るアルミ製ステアリングナックル２０は、重力鋳造や傾斜重力鋳造などといった従来公知の鋳造方法によって製造されており、その形態的な形状に有意な特徴を有している。まず、本実施形態に係るアルミ製ステアリングナックル２０の基本構成を説明する。
【００２４】
本実施形態に係るアルミ製ステアリングナックル２０は、その中央部分に上述したホイールハブ（不図示）等の車輪支持体の取り付け箇所となる本体部２１を有している。本体部２１の中央には、略円形空洞２１ａが形成されており、さらに、この略円形空洞２１ａの周囲には、４つのボルト孔２１ｂが形成されている。
【００２５】
略円形空洞２１ａには、車輪支持体を構成する不図示のハブベアリングが配置される。一方、４つのボルト孔２１ｂには、ハブボルト（不図示）が螺合接合される。つまり、不図示のハブボルトが４つのボルト孔２１ｂに螺合されることで、上述した車輪支持体や車輪１５等がアルミ製ステアリングナックル２０の本体部２１に設置されることとなる。
【００２６】
本体部２１の上方には、ダンパー２を連結するための連結部として機能するダンパー連結部２２が形成されている。ダンパー２は、バネとピストンロッドとを有して構成されており、図１にて例示したように、ピストンロッドの下端側がダンパー連結部２２に対して連結部材を介してボルトにより連結接合されることとなる。したがって、ダンパー連結部２２は、主として本体部２１に向かう方向のモーメントを受けることとなる。
【００２７】
本体部２１の下方には、ロワアーム３を連結するための連結部として機能するロワアーム連結部２３が形成されている。このロワアーム連結部２３についても、図１にて例示したロワアーム３をボルト等の締結手段を用いることでロワアーム連結部２３に対して確実に連結できるように構成されている。
【００２８】
本体部２１の車両後方向（図２における紙面右方向）には、アーム２４が伸びて形成されており、このアーム２４の先端には、図１にて例示したタイロッド５を連結するための連結部として機能するタイロッド連結部２５が形成されている。本実施形態に係るタイロッド連結部２５には、車両の上下方向を向く開口孔が形成されており、タイロッド５が有する凸部をこの開口孔に嵌め込むことで、タイロッド５とアルミ製ステアリングナックル２０との連結が実現するように構成されている。
【００２９】
一方、本体部２１の車両前方向（図２における紙面左方向）には、ブレーキキャリパー６を設置するためのブレーキキャリパー設置部２６が形成されている。なお、本実施形態に係るブレーキキャリパー設置部２６は、２つのボルト孔として構成されており、ボルト等の締結手段を用いることで、ブレーキキャリパー６をアルミ製ステアリングナックル２０に対して確実に固定できるようになっている。
【００３０】
以上のような基本構成を有する本実施形態に係るアルミ製ステアリングナックル２０であるが、このアルミ製ステアリングナックル２０は、軽量であるという特性を維持しながらも、鉄系材料で得られる剛性と同等以上の高い剛性を獲得するために、種々の有意な形態的特徴を備えている。以下に、その具体的な構成を説明する。
【００３１】
まず、本実施形態に係るアルミ製ステアリングナックル２０には、上述したように、本体部２１の周囲に設けられて外部部材に連結される複数の連結部（ダンパー連結部２２、ロワアーム連結部２３、タイロッド連結部２５）が形成されているが、これら複数の連結部（ダンパー連結部２２、ロワアーム連結部２３、タイロッド連結部２５）の間のそれぞれには、複数のリブ壁面３１が立設されている。これら複数のリブ壁面３１については、複数のボルト孔２１ｂの周囲を取り囲むように形成されており、さらに、これらのリブ壁面３１は、車両本体側に向けて立設して設けられている。
【００３２】
本実施形態に係るリブ壁面３１が、前述のような構成を備えることで、リブ壁面３１の立設方向、すなわち車両本体側の方向に加わる内向きの剛性を向上させることが可能となる。かかる効果は、特に、旋回時に加わるモーメントを好適に受容できることにつながるため、本実施形態に係るアルミ製ステアリングナックル２０が、アルミの有する軽量であるという特性を維持しながらも、鉄系材料で得られる剛性と同等以上の高い剛性を獲得することを可能としている。
【００３３】
なお、アルミ製ステアリングナックル２０の前方に設けられたブレーキキャリパー設置部２６の形成位置には、ブレーキキャリパー６が設置されていることから、このブレーキキャリパー６からは、車輪１５の回転方向の力の他、ブレーキのモーメントや車両前後方向の力や内向きの力などが加わることになるが、本体部２１に対して形成されたリブ壁面３１が好適に回転方向の力等を受容することに寄与するので、かかる点からも、本実施形態に係るリブ壁面３１が、アルミ製ステアリングナックル２０の剛性を高めることを実現している。
【００３４】
さらに、本実施形態に係る複数のリブ壁面３１において、ダンパー連結部２２とロワアーム連結部２３をつなぐ位置に形成されたリブ壁面３１は、さらなる形態的特徴を有している。すなわち、ダンパー連結部２２とロワアーム連結部２３をつなぐ位置に形成されたリブ壁面３１は、一の連結部であるダンパー連結部２２側に接続して立設される一のリブ壁面３１ａと、一の連結部であるダンパー連結部２２と隣り合う他の連結部であるロワアーム連結部２３側に接続して立設される他のリブ壁面３１ｂとの組み合わせによって構成されている。
【００３５】
そして、図３および図４にてより詳細に示されるように、一のリブ壁面３１ａは、接続する（一の連結部である）ダンパー連結部２２から（他の連結部である）ロワアーム連結部２３の方向に向けてリブ壁面高さを漸減する傾斜面を有して形成されており、また、他のリブ壁面３１ｂは、接続する（他の連結部である）ロワアーム連結部２３から（一の連結部である）ダンパー連結部２２の方向に向けてリブ壁面高さを漸減する傾斜面を有して形成されている。
【００３６】
さらに、一のリブ壁面３１ａの一部分と他のリブ壁面３１ｂの一部分は、本体部２１上で並列するように設けられている。すなわち、両リブ壁面３１ａ，３１ｂは、リブ壁面同士が交わらずに横並びの並列状態で接続するように配置されている。したがって、一のリブ壁面３１ａに接続する（一の連結部である）ダンパー連結部２２からの力と、他のリブ壁面３１ｂに接続する（他の連結部である）ロワアーム連結部２３からの力は、並列配置された両リブ壁面３１ａ，３１ｂの形状の作用によって力同士が合成されることがなく、互いに交わらない逸れた方向で力が分散されることとなる。
【００３７】
またさらに、一のリブ壁面３１ａと他のリブ壁面３１ｂは、図１にてより詳細に示されるように、２つのボルト孔２１ｂが形成された位置の略中間の位置で並列するように設けられている。不図示のハブボルトが４つのボルト孔２１ｂに螺合されることで、車輪支持体や車輪１５等がアルミ製ステアリングナックル２０の本体部２１に設置されることとなるが、さらに、一のリブ壁面３１ａと他のリブ壁面３１ｂとが並列する位置を２つのボルト孔２１ｂが形成された位置の略中間とすることで、両リブ壁面３１ａ，３１ｂを介して伝達される応力の集中を好適に防止することができる。
【００３８】
さらにまた、本実施形態に係る一のリブ壁面３１ａと他のリブ壁面３１ｂは、図１〜図４にて示されるように、互いに並列した後、さらにリブ壁面高さを漸減してなくなるように構成されている。すなわち、ダンパー連結部２２に接続する一のリブ壁面３１ａの壁面高さがなくなる位置はロワアーム連結部２３寄りの位置であり、一方、ロワアーム連結部２３に接続する他のリブ壁面３１ｂの壁面高さがなくなる位置はダンパー連結部２２寄りの位置となっている。かかる壁面形状によって、連結部であるダンパー連結部２２とロワアーム連結部２３から両リブ壁面３１ａ，３１ｂを伝って伝播する荷重は、それぞれ別の連結部に近い位置まで分散されることとなる。つまり、本実施形態によれば、荷重分散点を連結部付近にすることができるので、より高い剛性を有するアルミ製のステアリングナックルを提供することが可能となっている。
【００３９】
さらに、本実施形態に係るアルミ製ステアリングナックル２０において、一のリブ壁面３１ａと他のリブ壁面３１ｂは、両リブ壁面３１ａ，３１ｂの全体を面側から見たときに（すなわち、図２の視点で見たときに）、当該両リブ壁面３１ａ，３１ｂの外郭形状が広角に開いた略Ｖ字形の稜線を描いて形成されている。つまり、上述したような応力集中を避けつつ荷重分散点を連結部付近にするといった作用効果を得ながらも、両リブ壁面３１ａ，３１ｂの外郭形状を必要最低限の範囲で形成する構成が採られているので、より高い剛性を有しつつ軽量化をも実現した、従来にはないアルミ製のステアリングナックルが実現されている。
【００４０】
以上、本発明の好適な実施形態について説明したが、本発明の技術的範囲は上記実施形態に記載の範囲には限定されない。上記実施形態には、多様な変更又は改良を加えることが可能である。
【００４１】
例えば、上述した本実施形態に係るアルミ製ステアリングナックル２０は、前輪（フロント）用の車両用懸架装置１に用いられる場合を想定した形態を有するものであった。しかしながら、本発明は、後輪（リア）用のアルミ製ステアリングナックルに対しても適用可能である。ここで、後輪（リア）用のアルミ製ステアリングナックルの具体例として、図６を示す。図６は、本発明に係るアルミ製ステアリングナックルが取り得る多様な形態例のうちの一例を示す外観斜視図である。
【００４２】
別形態に係るアルミ製ステアリングナックル６０は、その中央部分に上述したホイールハブ（不図示）等の車輪支持体の取り付け箇所となる本体部６１を有している。本体部６１の中央には、略円形空洞６１ａが形成されており、さらに、この略円形空洞６１ａの周囲には、４つのボルト孔６１ｂが形成されている。
【００４３】
本体部６１の周囲には、複数の連結部が形成されている。すなわち、本体部６１の上方にはアッパーアーム連結部６３が、本体部６１の前方（図６における紙面左側）にはラテラルフロント連結部６４が、本体部６１の下方にはトレーリングアーム連結部６５が、本体部６１の後方斜め下方（図６における紙面右下側）にはラテラルリア連結部６６が、形成されている。そして、別形態に係るアルミ製ステアリングナックル６０には、本体部２１の周囲に設けられて外部部材に連結される複数の連結部（アッパーアーム連結部６３、ラテラルフロント連結部６４、ラテラルリア連結部６６）の間のそれぞれに、複数のリブ壁面７１が立設されている。これら複数のリブ壁面７１については、複数のボルト孔６１ｂの周囲を取り囲むように形成されており、さらに、これらのリブ壁面７１は、車両本体側に向けて立設して設けられている。
【００４４】
またさらに、図６で示した別形態に係るアルミ製ステアリングナックル６０では、ラテラルフロント連結部６４とラテラルリア連結部６６との間に設置されたリブ壁面が一のリブ壁面７１ａと他のリブ壁面７１ｂとで構成されるとともに、これら両リブ壁面７１ａ，７１ｂの一部分同士が、本体部６１上で並列して設けられている。かかる構成を有することで、後輪（リア）用のアルミ製ステアリングナックル６０についても、上述した本実施形態に係る前輪（フロント）用のアルミ製ステアリングナックル２０と同様の作用効果を発揮することができる。
【００４５】
また、例えば、本実施形態に係るアルミ製ステアリングナックル２０では、本体部２１の車両後方向（図１における紙面右方向）に対してアーム２４とタイロッド連結部２５が形成され、本体部２１の車両前方向（図１における紙面左方向）に対してブレーキキャリパー設置部２６が形成されていた。しかしながら、アーム２４及びタイロッド連結部２５の形成位置と、ブレーキキャリパー設置部２６の形成位置については、本実施形態の場合と左右逆に形成されていてもよい。
【００４６】
さらに、上述した本実施形態に係るアルミ製ステアリングナックル２０は、マクファーソン・ストラット形式の懸架装置に使用されるものであったが、本発明の適用範囲は、この形式に限定されるものではない。例えば、ダブルウイッシュボーン式やマルチリンク式などといったその他のあらゆる形式に対して、本発明の技術思想を適用することが可能である。
【００４７】
またさらに、本実施形態に係るアルミ製ステアリングナックル２０の製造方法については、背景技術の欄で例示した重力鋳造や傾斜重力鋳造などといった鋳造技術だけではなく、鍛造などのその他の製法によっても製造することが可能である。
【００４８】
その様な変更又は改良を加えた形態も本発明の技術的範囲に含まれ得ることが、特許請求の範囲の記載から明らかである。
【符号の説明】
【００４９】
１  車両用懸架装置、２  ダンパー、３  ロワアーム、５  タイロッド、６  ブレーキキャリパー、１０  ディスクローター、１５  車輪、２０，６０，１２０  アルミ製ステアリングナックル、２１，６１，１２１  本体部、２１ａ，６１ａ  略円形空洞、２１ｂ，６１ｂ  ボルト孔、３１，３１ａ，３１ｂ，７１，７１ａ，７１ｂ  リブ壁面、２２，１２２  ダンパー連結部、２３，１２３  ロワアーム連結部、２４，１２４  アーム、２５，１２５  タイロッド連結部、２６，１２６  ブレーキキャリパー設置部、６３  アッパーアーム連結部、６４  ラテラルフロント連結部、６５  トレーリングアーム連結部、６６  ラテラルリア連結部。
【図１】
2018002103.tif 000003
【図２】
2018002103.tif 000004
【図３】
2018002103.tif 000005
【図４】
2018002103.tif 000006
【図５】
2018002103.tif 000007
【図６】
2018002103.tif 000008